(57)【特許請求の範囲】
【請求項１】
筐体の前面側を覆うフロントケースと筐体の背面側を覆うリアケースとが結合されてなり、該フロントケースと該リアケースとの境界に該フロントケースと該リアケースとを分離させる際に挿入部材を挿入し得る挿入部が形成され、該挿入部が前記筐体の背面に位置する筐体ケースであって、
前記フロントケースと前記リアケースとは、該フロントケースに設けられた第１係合部と該リアケースに設けられた第２係合部とを係合させることにより結合し得るようになっており、
前記フロントケースは、前記第１係合部と前記第２係合部とが係合した状態において該第２係合部に当接又は近接する傾斜面を有し、
前記傾斜面は、前記挿入部材を前記挿入部に挿入して前記第１係合部と前記第２係合部との係合を解除すると、前記第２係合部が前記傾斜面に当接しながら移動することにより、前記リアケースに前記筐体の背面側に押し出す方向の力を付与するように傾斜している筐体ケース。
【請求項２】
前記第２係合部が前記傾斜面に当接しながら移動する際に、該第２係合部と該傾斜面とが点接触する請求項１に記載の筐体ケース。
【請求項３】
前記傾斜面は、前記筐体の前面側から背面側に向けて且つ該筐体の背面における面方向外側から面方向内側に向けて傾斜している請求項１または２に記載の筐体ケース。
【請求項４】
前記第２係合部は、前記筐体の背面における面方向外側から面方向内側に向けて凹んだ係合凹部を備え、該係合凹部に前記第１係合部を挿入し得るようになっている請求項１から３のいずれか１項に記載の筐体ケース。
【請求項５】
前記第１係合部における前記第２係合部との係合面及び該第２係合部における該第１係合部との係合面は、前記挿入部への前記挿入部材の挿入方向に対して略垂直な方向に延びている請求項１から４のいずれか１項に記載の筐体ケース。
【請求項６】
前記傾斜面は、前記フロントケースを前記筐体の背面側から背面視した場合において、該第１係合部の突出方向の領域の外側に配置されている請求項１から５のいずれか１項に記載の筐体ケース。
【請求項７】
内面側に第１係合部が形成された第１のケースと、前記第１係合部に前記内面側で係合される第２係合部が形成された第２のケースとを備え、
前記第１のケースと前記第２のケースとの接合面に対して略垂直に、前記第１係合部と前記第２係合部との係合面が形成され、
前記第２係合部は、前記係合面に水平な面に対して傾斜する斜面が形成された傾斜部の前記斜面に対向して配置され、前記傾斜部を前記斜面に沿って摺動可能な摺動部を有する筐体ケース。
【発明の詳細な説明】
【技術分野】
【０００１】
本発明は、携帯電話機などの筐体の外面を覆う筐体ケースに関する。
【背景技術】
【０００２】
携帯電話機などにおける筐体の外面を覆う筐体ケースは、多くの場合、筐体の前面側を覆うフロントケースと筐体の背面側を覆うリアケースとが結合されて形成されている。フロントケースとリアケースとの境界は、一般的には、筐体ケースの側面（前面の周囲と背面の周囲とを繋ぐ面）に位置している（例えば、下記特許文献１参照）。
【０００３】
また、筐体ケースにおいては、携帯電話機を修理する場合などにおいて、フロントケースとリアケースとの境界における空隙（挿入部）に「へら」等の挿入部材を挿入してフロントケースとリアケースとを分離させることがある。このようなフロントケースとリアケースとを分離させる際に挿入部材を挿入する空隙を「挿入間隙」という。
【０００４】
図６は、筐体ケース１３０の側面１３０ｃに挿入間隙Ｇ１が位置する従来の筐体ケース１３０の断面図である。図６に示す筐体ケース１３０においては、フロントケース１０５の内側及びリアケース１０６の内側に、互いに係合する第１係合部１５５及び第２係合部１６１が設けられており、フロントケース１０５とリアケース１０６とは、第１係合部１５５と第２係合部１６１とを係合させることにより結合される。
【０００５】
フロントケース１０５とリアケース１０６との境界における挿入間隙Ｇ１は、筐体ケース１３０の側面１３０ｃに位置している。このような挿入間隙Ｇ１が筐体ケース１３０の側面１３０ｃに位置する筐体ケース１３０においては、へらＨを挿入間隙Ｇ１に挿入し、その状態でへらＨをへらＨの厚み方向にこじることにより、フロントケース１０５（第１係合部１５５を含む）及び／又はリアケース１０６（第２係合部１６１を含む）が撓み、フロントケース１０５とリアケース１０６とを容易に分離することができる。
【０００６】
フロントケース１０５とリアケース１０６とを容易に分離できる主な理由は、へらＨをこじることによってフロントケース１０５及びリアケース１０６に加わる力の方向と、フロントケース１０５とリアケース１０６とを分離させる方向（何れも図６における上下方向）とがほぼ一致しているためである。
【０００７】
また、筐体ケースには、フロントケースとリアケースとの境界における挿入間隙が、筐体ケースの側面ではなく、筐体ケースの背面に設けられているものがある。図７は、筐体ケース２３０の背面２３０ｂに挿入間隙Ｇ２が位置する筐体ケース２３０の断面図である。図７に示す筐体ケース２３０においては、図６に示す筐体ケース１３０と同様に、フロントケース２０５の内側及びリアケース２０６の内側に、互いに係合する第１係合部２５５及び第２係合部２６１が設けられており、フロントケース２０５とリアケース２０６とは、第１係合部２５５と第２係合部２６１とを係合させることにより結合される。
【０００８】
図７に示す筐体ケース２３０においては、フロントケース２０５とリアケース２０６との境界における挿入間隙Ｇ２が筐体ケース２３０の背面２３０ｂに位置するため、フロントケース２０５の第１係合部２５５及びリアケース２０６の第２係合部２６１の位置も筐体ケース２３０の背面２３０ｂに位置することになる。
【０００９】
【特許文献１】特開平７−２２６６９０号公報
【発明の開示】
【発明が解決しようとする課題】
【００１０】
しかし、挿入間隙Ｇ２が筐体ケース２３０の背面２３０ｂに位置する筐体ケース２３０においては、図６に示す筐体ケース１３０は異なり、フロントケース２０５とリアケース２０６とを分離させることは容易ではない。その主な理由は、へらＨを挿入間隙Ｇ２に挿入し、その状態でへらＨをへらＨの厚み方向にこじったとしても、へらＨをこじることによってフロントケース２０５及びリアケース２０６に加わる力の方向（図７における左右方向）と、フロントケース２０５とリアケース２０６とを分離させる方向（図７における上下方向）とがほぼ直交しているためである。
【００１１】
このようにフロントケース２０５及びリアケース２０６には両者を分離させる方向の力が加わらないため、へらＨを挿入間隙Ｇ２内でひねり、フロントケース２０５及びリアケース２０６に両者を分離させる方向（図７における上下方向）の力を付与する必要がある。
【００１２】
しかしながら、へらＨを挿入間隙Ｇ２内でひねると、フロントケース２０５及びリアケース２０６の外面が変形したり、フロントケース２０５及びリアケース２０６における塗装が剥がれるといった不具合が発生しやすい。このような不具合が発生すると、修理のためにフロントケース２０５とリアケース２０６とを分離した後に、フロントケース２０５及びリアケース２０６を再使用することができなくなる。
【００１３】
従って、本発明は、フロントケース及びリアケースに両者を分離させる方向の力を容易に付与することができ、筐体ケースを容易に解体することができる筐体ケースを提供することを目的とする。
【課題を解決するための手段】
【００１４】
本発明は、筐体の前面側を覆うフロントケースと筐体の背面側を覆うリアケースとが結合されてなり、該フロントケースと該リアケースとの境界に該フロントケースと該リアケースとを分離させる際に挿入部材を挿入し得る挿入部が形成され、該挿入部が前記筐体の背面に位置する筐体ケースであって、前記フロントケースと前記リアケースとは、該フロントケースに設けられた第１係合部と該リアケースに設けられた第２係合部とを係合させることにより結合し得るようになっており、前記フロントケースは、前記第１係合部と前記第２係合部とが係合した状態において該第２係合部に当接し又は近接する傾斜面を有し、前記傾斜面は、前記挿入部材を前記挿入部に挿入して前記第１係合部と前記第２係合部との係合を解除すると、前記第２係合部が前記傾斜面に当接しながら移動することにより、前記リアケースに前記筐体の背面側に押し出す方向の力を付与するように傾斜している筐体ケースに関する。
【００１５】
また、前記第２係合部が前記傾斜面に当接しながら移動する際に、該第２係合部と該傾斜面とが点接触することが好ましい。
【００１６】
また、前記傾斜面は、前記筐体の前面側から背面側に向けて且つ該筐体の背面における面方向外側から面方向内側に向けて傾斜していることが好ましい。
【００１７】
また、前記第２係合部は、前記筐体の背面における面方向外側から面方向内側に向けて凹んだ係合凹部を備え、該係合凹部に前記第１係合部を挿入し得るようになっていることが好ましい。
【００１８】
また、前記第１係合部における前記第２係合部との係合面及び該第２係合部における該第１係合部との係合面は、前記挿入部への前記挿入部材の挿入方向に対して略垂直な方向に延びていることが好ましい。
【００１９】
また、前記傾斜面は、前記フロントケースを前記筐体の背面側から背面視した場合において、該第１係合部の突出方向の領域の外側に配置されていることが好ましい。
【００２０】
また、本発明は、内面側に第１係合部が形成された第１のケースと、前記第１係合部に前記内面側で係合される第２係合部が形成された第２のケースとを備え、前記第１のケースと前記第２のケースとの接合面に対して略垂直に、前記第１係合部と前記第２係合部との係合面が形成され、前記第２係合部は、前記係合面に水平な面に対して傾斜する斜面が形成された傾斜部の前記斜面に対向して配置され、前記傾斜部を前記斜面に沿って摺動可能な摺動部を有する筐体ケースに関する。
【発明の効果】
【００２１】
本発明の筐体ケースによれば、フロントケース及びリアケースに両者を分離させる方向の力を容易に付与することができるため、筐体ケースを容易に解体することができる。
【発明を実施するための最良の形態】
【００２２】
以下、本発明を実施するための最良の形態について、図面を参照しながら説明する。まず、本発明の一実施形態の筐体ケース３０を備えた携帯電話機１の基本構造について、図１及び図２を参照しながら説明する。
図１は、本発明の一実施形態の筐体ケース３０を備えた携帯電話機１について、操作部側筐体２と表示部側筐体３とを開いた状態で示す斜視図である。図２は、図１に示す携帯電話機１を折り畳んだ状態で表示部側筐体３のリアケース６側から視た斜視図である。
【００２３】
本実施形態における携帯電話機１は、図１及び図２に示すように、折り畳み型の携帯電話機１であって、略直方体形状の操作部側筐体２と、略直方体形状の表示部側筐体３と、操作部側筐体２と表示部側筐体３とを連結する連結部４と、を備える。
【００２４】
操作部側筐体２は、図１及び図２に示すように、その外面が、フロントケース２１及びリアケース２２を主体として構成されている。フロントケース２１は、操作部側筐体２の前面２ａ側を構成する。操作部側筐体２の前面２ａは、携帯電話機１を折り畳んだ状態で表示部側筐体３と向かい合う面である。リアケース２２は、前面２ａと反対側の面である背面２ｂ側を構成する。
【００２５】
フロントケース２１は、操作キー群１１が前面２ａに露出するように構成されている。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。
【００２６】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２７】
前面２ａには、携帯電話機１の使用者が通話時に発した音声が入力される音声入力部１２が形成されている。音声入力部１２は、操作部側筐体２の長手方向における連結部４とは反対側の端部近傍に配置される。つまり、音声入力部１２は、携帯電話機１の開状態において長手方向の一方の端部側に配置される。
【００２８】
操作部側筐体２の側面２ｃには、例えば、外部機器（例えば、ホスト装置）とデータの送受信を行うためのインターフェース、ヘッドホン／マイク端子、着脱可能な外部メモリのインターフェース、バッテリを充電するための充電端子が設けられている。
【００２９】
次に、表示部側筐体３について説明する。表示部側筐体３は、図１から図３に示すように、その外面が、フロントケース５及びリアケース６からなる筐体ケース３０を主体として構成される。
【００３０】
詳細には、表示部側筐体３の筐体ケース３０は、表示部側筐体３の前面３ａ側を覆うフロントケース５と表示部側筐体３の背面３ｂ側を覆うリアケース６とが結合されてなる。フロントケース５とリアケース６との境界には、フロントケース５とリアケース６とを分離させる際に挿入部材Ｈ（図５参照）を挿入し得る挿入間隙（挿入部）Ｇが形成され、挿入間隙Ｇが表示部側筐体３の背面３ｂに位置する。挿入部材Ｈは、本実施形態においては「へら」であるが、これに制限されない。
【００３１】
また、詳細については後述するが、フロントケース５とリアケース６とは、図４及び図５に示すように、フロントケース５に設けられた第１係合部５５とリアケース６に設けられた第２係合部６１とを係合させることにより結合し得るようになっている。
【００３２】
筐体ケース３０における前面３０ａは、フロントケース５及びカバー部材３３を主体として構成されている。前面３０ａは、携帯電話機１を折り畳んだ状態で操作部側筐体２と向かい合う面である。筐体ケース３０における背面３０ｂは、リアケース６を主体として構成されている。背面３０ｂは、前面３０ａとは反対側の面である。筐体ケース３０（表示部側筐体３）における長手方向に沿う側面３０ｃは、フロントケース５を主体として構成されている。筐体ケース３０（表示部側筐体３）における幅方向に沿う上面３０ｄは、リアケース６を主体として構成されている。上面３０ｄは、表示部側筐体３の長手方向における連結部４と反対の端部である。
【００３３】
表示部側筐体３内には、図１及び図３に示すように、各種情報を表示させるメイン液晶モジュール３４が配置されており、メイン液晶モジュール３４は、その一方の面に設けられたメイン表示部３４ａが、透明部分を主体とするカバー部材３３を介して、フロントケース５に形成された開口部５６ｂ（図５（ａ）参照）から筐体ケース３０の前面３０ａに露出するように配置されている。
【００３４】
また、フロントケース５には、通話の相手側における音声を出力する音声出力部３１が形成されている。音声出力部３１は、表示部側筐体３の長手方向における連結部４とは反対の端部側に配置される。つまり、音声出力部３１は、携帯電話機１の開状態における表示部側筐体３側の端部近傍に配置される。
【００３５】
表示部側筐体３のリアケース６側には、図２及び図３に示すように、各種情報を表示させるサブ液晶モジュール３６が配置されており、サブ液晶モジュール３６は、その一方の面に設けられたサブ表示部３６ａが、リアケース６の透明部分を介して筐体ケース３０の背面３０ｂに露出するように配置されている。
【００３６】
メイン液晶モジュール３４及びサブ液晶モジュール３６は、それぞれ、メイン表示部３４ａ及びサブ表示部３６ａを構成する液晶パネル、この液晶パネルを駆動する駆動回路、この液晶パネルの背面側から光を照射するバックライト等の光源部などから構成される。
【００３７】
操作部側筐体２の上端部と表示部側筐体３の下端部とは、図１及び図２に示すように、連結部４を介して開閉可能に連結されている。つまり、連結部４は、表示部側筐体３と操作部側筐体２とを開閉軸Ｘを中心に開閉可能に連結している。
携帯電話機１は、連結部４を介して連結された操作部側筐体２と表示部側筐体３とを相対的に回転（回動）することにより、操作部側筐体２と表示部側筐体３とを互いに開いた状態（開放状態）にしたり、操作部側筐体２と表示部側筐体３とを折り畳んだ状態（折畳み状態）にすることができる。
【００３８】
次に、表示部側筐体３の内部構造について図３から図５を参照しながら説明する。
図３は、筐体ケース３０の背面３０ｂ側から視た表示部側筐体３の分解斜視図である。図４は、図３におけるＰ部の拡大図である。図５（ａ）は、表示部側筐体３について、第１係合部５５及び第２係合部６１を表示部側筐体３の厚み方向に切断した部分断面図であり、図５（ｂ）は、図５（ａ）の部分拡大図である。
【００３９】
表示部側筐体３は、図３に示すように、リアケース６と、サブ液晶モジュール３６と、回路基板３５と、フロントケース５と、メイン液晶モジュール３４と、カバー部材３３と、を備えている。表示部側筐体３においては、リアケース６、サブ液晶モジュール３６、回路基板３５、フロントケース５、メイン液晶モジュール３４及びカバー部材３３は、この順で積層的に配置される。
【００４０】
フロントケース５とリアケース６とは、図３に示すように、互いの凹状の内面が向き合うように配置されると共に、図２に示すように、両者の境界に位置する挿入間隙Ｇが筐体ケース３０の背面３０ｂ側に位置するように結合される。
詳細には、図１から図５に示すように、フロントケース５は、筐体ケース３０の前面３０ａにおける、カバー部材３３が配置された領域を除く領域を構成すると共に、表示部側筐体３の長手方向に沿う側面３０ｃを構成している。
リアケース６は、筐体ケース３０の背面３０ｂの大部分を構成すると共に、筐体ケース３０の上面３０ｄの大部分を構成している。
【００４１】
このような構成を有するフロントケース５とリアケース６とを結合すると、両者の境界に挿入間隙Ｇが形成される、挿入間隙Ｇは、筐体ケース３０の背面３０ｂにおける、側面３０ｃと背面３０ｂとの境界近傍に、表示部側筐体３の長手方向に延びるように形成される。即ち、挿入間隙Ｇは、筐体ケース３０の側面３０ｃには形成されない。
【００４２】
リアケース６とフロントケース５との間には、図３に示すように、サブ液晶モジュール３６が、リアケース６を介してサブ表示部３６ａが露出するように配置されており、サブ液晶モジュール３６の周囲を囲むように回路基板３５が配置されている。
そして、回路基板３５及びサブ液晶モジュール３６におけるサブ表示部３６ａが設けられている面と反対の面側に、フロントケース５を構成する板金部材５１が配置されている。即ち、リアケース６とフロントケース５における板金部材５１との間には、サブ液晶モジュール３６及び回路基板３５が挟み込まれるように配置されている。
【００４３】
回路基板３５は、メイン液晶モジュール３４及びサブ液晶モジュール３６に給電等を行うものである。回路基板３５には、各種電子部品が配置されると共に、筐体ケース３０の前面３０ａ側に基準電位パターン層（図示せず）が形成されている。
【００４４】
フロントケース５は、図３から図５に示すように、金属製の板金部材５１と、板金部材５１の一部を覆う樹脂部材５２とが、インサート成形により一体的に成形されて構成される。フロントケース５は、枠形状の樹脂部材５２の一方側の面が板金部材５１に覆われており、図５に示すように、他方側に、メイン液晶モジュール３４が収納される収納凹部５６ａ及びカバー部材３３によって被覆される開口部５６ｂが形成されている。
【００４５】
板金部材５１は、平面状の板金における外縁が折り曲げられた形状で、一の広い面が開口した厚さが薄い箱状の形状を有している。具体的には、板金部材５１は、図５に示すように、平面状の平面部５１ａと板金側壁部５１ｂとを備える。板金側壁部５１ｂは、平面部５１ａの周縁に形成され、平面部５１ａから略垂直に筐体ケース３０の前面３０ａ側に起立している。
【００４６】
樹脂部材５２は、図３から図５に示すように、板金部材５１の周縁に設けられた板金側壁部５１ｂを覆うように形成された枠形状を有している。樹脂部材５２は、板金側壁部５１ｂが埋め込まれる埋め込み部５２ｂと、筐体ケース３０の側面３０ｃを形成する側面形成部５２ｃとを備える。
【００４７】
側面形成部５２ｃは、板金部材５１の平面部５１ａにおける板金側壁部５１ｂの起立方向とは反対面に突出していると共に、フロントケース５の長手方向に沿って延びている。側面形成部５２ｃには、フロントケース５の幅方向外側に凹む側面凹部５２ａが形成されている。側面凹部５２ａは、図３及び図４に示すように、一対の側面形成部５２ｃ、５２ｃに、フロントケース５の長手方向に離間してそれぞれ２カ所設けられている。つまり、側面凹部５２ａは、樹脂部材５２に計４カ所設けられている。
【００４８】
図４及び図５に示すように、フロントケース５は、第１係合部５５と第２係合部６１とが係合した状態において第２係合部６１に当接し又は近接する傾斜面（斜面）５４を有する。傾斜面５４は、後述するように、へらＨを挿入間隙Ｇに挿入して第１係合部５５と第２係合部６１との係合を解除すると、第２係合部６１が傾斜面５４に当接しながら移動することにより、リアケース６に表示部側筐体３の背面３ｂ側に押し出す方向の力を付与するように傾斜している。
【００４９】
傾斜面５４は、押し出し部（傾斜部）５３に設けられている。押し出し部５３は、側面凹部５２ａにおける、フロントケース５の長手方向両端部近傍にそれぞれ設けられている。つまり、傾斜面５４は、１個の側面凹部５２ａにつき２個設けられている。
【００５０】
押し出し部５３は、略直角三角柱状であり、直角三角形の直角部分が、フロントケース５における幅方向内側を向くと共に、傾斜面５４がフロントケース５における幅方向外側を向いている。従って、傾斜面５４は、表示部側筐体３の前面３ａ側から背面３ｂ側に向けて且つ表示部側筐体３の背面３ｂにおける面方向外側から面方向内側に向けて傾斜している。
【００５１】
ここで、「面方向」とは、フロントケース５とリアケース６との間の仮想的な合わせ面の方向であり、巨視的に視て、表示部側筐体３の前面３ａ及び背面３ｂに平行な面である。「面方向内側」とは、前記「面方向」の内側であり、フロントケース５における幅方向内側に制限されず、例えば、フロントケース５における長手方向内側でもよい。また、「面方向外側」とは、前記「面方向」の外側であり、フロントケース５における幅方向外側に制限されず、例えば、フロントケース５における長手方向外側でもよい。
【００５２】
へらＨの挿入方向（図５における上下方向）と直交する方向（図５における左右方向）に対する、傾斜面５４の傾斜角度θ（図５（ｂ）参照）は、適宜設定されるが、例えば１０から４０度であり、好ましくは２０から３０度である。傾斜面５４の幅（フロントケース５の長手方向に沿う幅）は、適宜設定されるが、例えば０．５から１．５ｍｍであり、好ましくは０．８から１．０ｍｍである。
【００５３】
第１係合部５５は、フロントケース５の内面側に、フロントケース５の樹脂部材５２から形成されており、側面形成部５２ｃにおける側面凹部５２ａに対応する位置に設けられている。第１係合部５５の幅（フロントケース５の長手方向に沿う幅）は、側面凹部５２ａの幅（フロントケース５の長手方向に沿う幅）よりも狭い。なお、図４に示すように、フロントケース５を表示部側筐体３の背面３ｂ側から背面視した場合において、第１係合部５５の突出方向の領域Ｒを、「突出領域」ともいう。
【００５４】
図４に示すように、傾斜面５４を含む押し出し部５３は、突出領域Ｒの外側に配置されている。第１係合部５５は、アンダーカット形状を有しているため、その成形には傾斜ピンが用いられる。傾斜ピンの移動領域は、突出領域Ｒに位置することになる。従って、板金部材５１から突出するような突起物を、樹脂成形によって突出領域Ｒに形成することは極めて困難である。
【００５５】
第２係合部６１は、リアケース６におけるフロントケース５側の面（内面）に、傾斜面５４に対向して設けられている。第２係合部６１は、フロントケース５とリアケース６とを接合させた状態において、フロントケース５における側面凹部５２ａに対応する位置に設けられる。第２係合部６１の幅（リアケース６の長手方向に沿う幅）は、第１係合部５５の幅（フロントケース５の長手方向に沿う幅）よりも広いが、側面凹部５２ａの幅（フロントケース５の長手方向に沿う幅）よりも狭い。
【００５６】
図５（ｂ）に示すように、第２係合部６１は、フロントケース５とリアケース６とを接合させた状態において、リアケース６の内面からフロントケース５側に向けて立設している。第２係合部６１は、表示部側筐体３の背面３ｂにおける面方向外側から面方向内側に向けて凹んだ係合凹部６１ａを備え、係合凹部６１ａに第１係合部５５を挿入し得るようになっている。つまり、係合凹部６１ａは、リアケース６の幅方向内側に向けて凹んでいる。
【００５７】
第１係合部５５における第２係合部６１との係合面５５ａ及び第２係合部６１における第１係合部５５との係合面６１ｃは、挿入間隙ＧへのへらＨの挿入方向（図５における上下方向）に対して、つまりフロントケース５とリアケース６との接合面に対して略垂直な方向に延びている。「略垂直」とは、一般的には９０度であるが、９０度に限定されるものではなく、７０から１１０度の範囲を含む角度のことをいう。係合面５５ａと係合面６１ｃとは、挿入間隙ＧへのへらＨの挿入方向に対向している。傾斜面５４は、係合面５５ａ，６１ｃに水平な面に対して傾斜している。
【００５８】
傾斜面５４は、第１係合部５５と第２係合部６１とが係合した状態において、第２係合部６１に当接し又は近接する。第２係合部６１における傾斜面５４との対向部分６１ｂは、丸みを帯びており、押し出し部５３を傾斜面５４に沿って摺動可能な摺動部として機能する。そのため、第２係合部６１が傾斜面５４に当接しながら移動する際に、第２係合部６１と傾斜面５４とが点接触する。対向部分６１ｂの曲率半径は、例えば０．１５から０．５ｍｍである。
【００５９】
本実施形態の筐体ケース３０によれば、例えば下記の各効果が奏される。
本実施形態の筐体ケース３０においては、図４及び図５に示すように、フロントケース５は、第１係合部５５と第２係合部６１とが係合した状態において第２係合部６１に当接し又は近接する傾斜面５４を有し、傾斜面５４は、へらＨを挿入間隙Ｇに挿入して第１係合部５５と第２係合部６１との係合を解除すると、第２係合部６１が傾斜面５４に当接しながら移動することにより、リアケース６に表示部側筐体３の背面３ｂ側に押し出す方向の力を付与するように傾斜している。
【００６０】
そのため、本実施形態の筐体ケース３０においては、第１係合部５５と第２係合部６１との係合を解除する方向（図５における左右方向）と、フロントケース５とリアケース６とを分離させる方向（図５における上下方向）とが略直交しているにも拘わらず、へらＨを挿入間隙Ｇに挿入して第１係合部５５と第２係合部６１との係合を解除すると、フロントケース５及びリアケース６に両者を分離させる方向の力が付与される。
【００６１】
詳細には、第１係合部５５及び第２係合部６１に両者の係合を解除する方向の力が加わると、第２係合部６１は、傾斜面５４の方向に押し出される。そして、押し出された第２係合部６１は、傾斜面５４の当接しながら傾斜面５４に沿って移動する。その結果、第２係合部６１及びこれを備えたリアケース６は、表示部側筐体３の背面３ｂ側に押し出される。そのため、フロントケース５とリアケース６との分離、即ち表示部側筐体３の解体を容易に行うことができる。
【００６２】
また、本実施形態の筐体ケース３０においては、第２係合部６１が傾斜面５４に当接しながら移動する際に、第２係合部６１と傾斜面５４とが点接触するため、第２係合部６１と傾斜面５４との摩擦抵抗が小さい。従って、第２係合部６１が傾斜面５４をスムーズに移動する。
【００６３】
また、本実施形態の筐体ケース３０においては、傾斜面５４は、表示部側筐体３の前面３ａ側から背面３ｂ側に向けて且つ表示部側筐体３の背面３ｂにおける面方向外側から面方向内側に向けて傾斜しているため、挿入間隙ＧへへらＨを挿入したことによるリアケース６の押し出しを確実に行うことができる。
【００６４】
また、本実施形態の筐体ケース３０においては、第２係合部６１は、表示部側筐体３の背面３ｂにおける面方向外側から面方向内側に向けて凹んだ係合凹部６１ａを備え、係合凹部６１ａに第１係合部５５を挿入し得るようになっている。そのため、挿入間隙ＧへへらＨを挿入したときにおいて、第２係合部６１が容易に撓みやすく、挿入間隙ＧへへらＨを挿入したことによるリアケース６の押し出しを確実に行うことができる。
【００６５】
また、本実施形態の筐体ケース３０においては、第１係合部５５における第２係合部６１との係合面５５ａ及び第２係合部６１における第１係合部５５との係合面６１ｃは、挿入間隙ＧへのへらＨの挿入方向に対して略垂直な方向に延びている。そのため、第１係合部５５と第２係合部６１との係合の解除が容易である。
【００６６】
また、本実施形態の筐体ケース３０においては、傾斜面５４は、フロントケース５を表示部側筐体３の背面３ｂ側から背面視した場合において、第１係合部５５の突出方向の領域（突出領域）Ｒの外側に配置されている。
フロントケース５の第１係合部５５を樹脂成形によって形成する場合には、傾斜ピンを用いるのが一般的であるが、その場合には、傾斜ピンの移動領域を確保するために、突出領域Ｒに樹脂成形による突起物を形成することはできない。
而して、傾斜面５４が突出領域Ｒの外側に配置されているため、傾斜面５４が傾斜ピンの移動に支障を生じないため、リアケース６の傾斜面５４を樹脂成形によって形成することができる。
【００６７】
以上、本発明の一実施形態について説明したが、本発明は上述した実施形態に制限されるものではない。
例えば、押し出し部５３（傾斜面５４）は、前記実施形態においては樹脂部材５２の一部から形成されているが、これに制限されず、板金部材５１の一部から形成することができる。
フロントケース５は、前記実施形態においてはインサート成形により形成されているが、これに制限されず、例えば板金部材のみから形成されていてもよく、あるいは樹脂成形のみから形成されていてもよい。
【００６８】
第１係合部５５における第２係合部６１との係合面５５ａ及び第２係合部６１における第１係合部５５との係合面６１ｃは、挿入間隙ＧへのへらＨの挿入方向に対して略垂直な方向に延びていなくてもよい。
本発明の筐体ケースは、表示部側筐体３に制限されず、操作部側筐体２に適用することができる。
【００６９】
前記実施形態における連結部４は、表示部側筐体３と操作部側筐体２とを開閉軸Ｘを中心に開閉可能に連結しているが、連結部４は、表示部側筐体３と操作部側筐体２とを開閉軸Ｘを中心に開閉可能に連結すると共に、開閉軸Ｘに直交する回動軸を中心に回動可能に連結するいわゆる２軸ヒンジ機構を備えていてもよい。
【００７０】
また、本発明の筐体ケースを備えた携帯電話機は、前記実施形態のような折り畳み式ではなく、操作部側筐体２と表示部側筐体３とを重ね合わせた状態から一方の筐体を一方向にスライドさせるようにしたスライド式の携帯電話機であってもよい。また、操作部側筐体２と表示部側筐体３との重ね合せ方向に沿う軸線を中心に一方の筐体を回転させるようにした回転式（リボルバ）の携帯電話機であってもよい。
【００７１】
本発明の筐体ケースは、携帯電話機以外の携帯電子機器における筐体ケースに適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
また、本発明の筐体ケースは、携帯電子機器における筐体ケースに制限されない。
【図面の簡単な説明】
【００７２】
【図１】本発明の一実施形態の筐体ケース３０を備えた携帯電話機１について、操作部側筐体２と表示部側筐体３とを開いた状態で示す斜視図である。
【図２】図１に示す携帯電話機１を折り畳んだ状態で表示部側筐体３のリアケース６側から視た斜視図である。
【図３】筐体ケース３０の背面３０ｂ側から視た表示部側筐体３の分解斜視図である。
【図４】図３におけるＰ部の拡大図である。
【図５】（ａ）は、表示部側筐体３について、第１係合部５５及び第２係合部６１を表示部側筐体３の厚み方向に切断した部分断面図であり、（ｂ）は、（ａ）の部分拡大図である。
【図６】筐体ケース１３０の側面１３０ｃに挿入間隙Ｇ１が位置する筐体ケース１３０の断面図である。
【図７】筐体ケース２３０の背面２３０ｂに挿入間隙Ｇ２が位置する筐体ケース２３０の断面図である。
【符号の説明】
【００７３】
２  操作部側筐体
３  表示部側筐体（筐体）
３ａ  前面
３ｂ  背面
３０  筐体ケース
４  連結部
５  フロントケース（第１のケース）
５１  板金部材
５２  樹脂部材
５３  押し出し部（傾斜部）
５４  傾斜面（斜面）
５５  第１係合部
５５ａ  係合面
６  リアケース（第２のケース）
６１  第２係合部
６１ａ  係合凹部
６１ｂ  対向部分（摺動部）
６１ｃ  係合面
Ｇ  挿入間隙（挿入部）
Ｈ  へら（挿入部材）
Ｒ  突出領域（第１係合部の突出方向の領域）
【図１】
0004960204.tif 000002
【図２】
0004960204.tif 000003
【図３】
0004960204.tif 000004
【図４】
0004960204.tif 000005
【図５】
0004960204.tif 000006
【図６】
0004960204.tif 000007
【図７】
0004960204.tif 000008